(57)【要約】【課題】機密情報を隠蔽する印刷物を、環境に優しく、製造コストが安く、多様なデザインを許容するものにすること。【解決手段】用紙に記載の機密情報の周辺にアンカーコート層が設けられ、さらに前記機密情報を隠蔽する水溶性インキ層が設けられていることを特徴とする機密情報を隠蔽した印刷物、又は、用紙に、白抜きの部分で機密情報を表すアンカーコート層が設けられ、さらに前記機密情報を隠蔽する水溶性インキ層が設けられていることを特徴とする機密情報を隠蔽した印刷物。【選択図】なし【特許請求の範囲】
【請求項１】
用紙に記載の機密情報の周辺にアンカーコート層が設けられ、さらに前記機密情報を隠蔽する水溶性インキ層が設けられていることを特徴とする機密情報を隠蔽した印刷物。
【請求項２】
用紙に、白抜きの部分で機密情報を表すアンカーコート層が設けられ、さらに前記機密情報を隠蔽する水溶性インキ層が設けられていることを特徴とする機密情報を隠蔽した印刷物。
【請求項３】
前記機密情報は各個人を特定する情報を含み、前記水溶性インキ層が形成する絵柄が各個人にユニークであることを特徴とする請求項１又は２に記載の機密情報を隠蔽した印刷物。
【請求項４】
用紙に記載の機密情報の周辺にアンカーコート層をスクリーン印刷により設け、さらに前記機密情報を隠蔽する水溶性インキ層をオンデマンドプリンターで設けることを特徴とする機密情報を隠蔽した印刷物の作成方法。
【請求項５】
用紙に、白抜きの部分で機密情報を表すアンカーコート層をスクリーン印刷で設け、さらに前記機密情報を隠蔽する水溶性インキ層をオンデマンドプリンターで設けることを特徴とする機密情報を隠蔽した印刷物の作成方法。
【請求項６】
前記機密情報は各個人を特定する情報を含み、前記水溶性インキ層が形成する絵柄が各個人にユニークであることを特徴とする請求項４又は５に記載の機密情報を隠蔽した印刷物の作成方法。
【発明の詳細な説明】
【０００１】
【発明の属する技術分野】
本発明は、機密情報を隠蔽した印刷物及びその作成方法に関する。
【０００２】
【従来の技術】
一般に、抽選券やプリペイドカード等に用いられる隠蔽層付印刷物は、その絵柄や文字、番号等の機密情報を隠蔽すべく、この機密情報を含む機密情報層を覆うように、銀インキ、フィルム、シール等でなる隠蔽層が形成されたもので、この隠蔽層のみを爪或いはコイン等の道具で引っかくように剥がして機密情報層の内容を知るようになっている。
【０００３】
【発明が解決しようとする課題】
ところで、上記隠蔽層付印刷物の基材には、アルミニウム箔やプラスチックフィルム等が用いられることが多い。この基材を用いた印刷物の使用後等における廃棄処分については、焼却処分が一般的であるが、この焼却処分では原料となるアルミニウムによる焼却効率の低下や、焼却装置の損傷などが生じる。加えてアルミニウムだけでなくプラスチックフィルム等によるアンモニアガス等の有毒ガスの発生など、廃棄物に関わる多くの環境上の問題がある。
【０００４】
また基材には印刷用紙にアルミニウムやプラスチックフィルムのサンド、さらには白インキや墨インキによるコート、隠蔽層にもアルミニウムフレークを含んだ特殊インキや銀インキを用いるなど、工程が複雑であり、材料を含めた製造コストが高価になっている。
【０００５】
また上記隠蔽層付印刷物は、隠蔽層自体による意匠上の制約があり、さらには版を作って印刷するために、絵柄が固定されたデザインのみの印刷物である。
【０００６】
本発明は係る従来技術の欠点に鑑みてなされたもので、機密情報を隠蔽する印刷物を、環境に優しく、製造コストが安く、多様なデザインを許容するものにすることを課題とする。
【０００７】
【課題を解決するための手段】
本発明において上記の課題を達成するために、まず請求項１の発明では、用紙に記載の機密情報の周辺にアンカーコート層が設けられ、さらに前記機密情報を隠蔽する水溶性インキ層が設けられていることを特徴とする機密情報を隠蔽した印刷物としたものである。
【０００８】
また請求項２の発明では、用紙に、白抜きの部分で機密情報を表すアンカーコート層が設けられ、さらに前記機密情報を隠蔽する水溶性インキ層が設けられていることを特徴とする機密情報を隠蔽した印刷物としたものである。
【０００９】
また請求項３の発明では、前記機密情報は各個人を特定する情報を含み、前記水溶性インキ層が形成する絵柄が各個人にユニークであることを特徴とする請求項１又は２に記載の機密情報を隠蔽した印刷物としたものである。
【００１０】
また請求項４の発明では、用紙に記載の機密情報の周辺にアンカーコート層をスクリーン印刷により設け、さらに前記機密情報を隠蔽する水溶性インキ層をオンデマンドプリンターで設けることを特徴とする機密情報を隠蔽した印刷物の作成方法としたものである。
【００１１】
また請求項５の発明では、用紙に、白抜きの部分で機密情報を表すアンカーコート層をスクリーン印刷で設け、さらに前記機密情報を隠蔽する水溶性インキ層をオンデマンドプリンターで設けることを特徴とする機密情報を隠蔽した印刷物の作成方法としたものである。
【００１２】
また請求項６の発明では、前記機密情報は各個人を特定する情報を含み、前記水溶性インキ層が形成する絵柄が各個人にユニークであることを特徴とする請求項４又は５に記載の機密情報を隠蔽した印刷物の作成方法としたものである。
【００１３】
【発明の実施の形態】
水性インキを用いるオンデマンドプリンターでは、水溶性インキの基材（用紙）への親和性を高めるため用紙にアンカーコートを施す。このアンカーコートの成分は、ポリアミドが０〜１０％で、イソプロピルアルコールが１００〜９０％である。また、このアンカーコートの厚みは、０．５〜５μｍである。
【００１４】
ところで、図１の（Ａ）に示すように、アンカーコートを施した部分とアンカーコートを施さない部分を有する用紙を作ると、図１の（Ｂ）に示すように、アンカーコートを施していない用紙の部分では、水溶性インキは、用紙に直接印刷されるが、図１の（Ｃ）に示すように、摩擦によって剥離する。本発明では、この性質を利用して、機密情報の隠蔽をした印刷物の作成を行う。
【００１５】
以下、本発明の３つ実施形態を説明する。
【００１６】
＜第１の実施形態＞
図２の（Ａ）に示すような機密情報が印字された用紙に、図２の（Ｂ）に示すように、スクリーン印刷法によって、機密情報が印字された部分を除いて、機密情報の周辺部分全面に、アンカーコートを塗布形成する。
【００１７】
さらに、図２の（Ｃ）に示すように、オンデマンドプリンターを使用して、用紙に絵柄を水溶性インキで印刷して、機密情報を隠蔽する。絵柄を消しゴムや爪などの道具で擦ると、図２の（Ｄ）に示すように、アンカーコートの無い箇所の絵柄が剥離し、機密情報が露呈する。
【００１８】
＜第２の実施形態＞
図３の（Ａ）に示すような、機密情報を非画線部（白抜き）としたスクリーン印刷版を用いて、図３の（Ｂ）に示すような、機密情報を白抜きで表現するアンカーコートを用紙に塗布形成する。
【００１９】
さらに、図３の（Ｃ）に示すように、オンデマンドプリンターを使用して、用紙に絵柄を水溶性インキで印刷して、機密情報を隠蔽する。絵柄を消しゴムや爪などの道具で擦ると、図３の（Ｄ）に示すように、アンカーコートの無い箇所の絵柄が剥離し、機密情報が白抜きで露呈する。
【００２０】
第２の実施形態では、機密情報の可変性は、スクリーン印刷版の版替えによってのみ得られ、版替えをしない場合は、機密情報は固定される。しかしながら、アンカーコートは無色透明度が高く、機密情報の視認性は低いので、アンカーコートを塗布形成してから絵柄を印刷するまでの間で、機密情報の漏洩を抑えることができる。
【００２１】
＜第３の実施形態＞
オンデマンドプリンターのバリアブルプリント機能は、一枚一枚異なった印刷物を印刷するものである。第３の実施形態は、第１又は第２の実施形態において、個人を特定する機密情報を付加した各用紙に対して、機密情報を隠蔽する絵柄を印刷する際に、このバリアブルプリント機能を利用して、図４に示すように、各個人にユニークなデザインの絵柄を印刷するものである。
【００２２】
【発明の効果】
本発明は、特に加工されていない（アンカーコートを除く）印刷用紙を、オンデマンドプリンターに一回通して、機密情報を隠蔽する絵柄を印刷するので、材料を含めた製造コストに優位で、廃棄物処理などで環境問題を起こし難く、抽選券、プリペイドカード、申込書等の各種帳票、ダイレクトメール、パンフレット、ちらし、写真集等のみならず、Ａ３伸びサイズまでの一般印刷物すべてに機密情報を隠蔽できるという効果がある。
【００２３】
また本発明は、オンデマンドプリンターのバリアブルプリント機能を生かして、各個人を特定する機密情報を、各個人にユニークな絵柄を印刷することで隠蔽できるという効果がある。
【図面の簡単な説明】
【図１】アンカーコートの有無により生ずる水溶性インキを剥離させる難易の差を説明する図。
【図２】本発明の第１の実施形態を説明する図。
【図３】本発明の第２の実施形態を説明する図。
【図４】本発明の第３の実施形態を説明する図。
【図１】
2004249578.tif 000002
【図２】
2004249578.tif 000003
【図３】
2004249578.tif 000004
【図４】
2004249578.tif 000005